(57)【要約】【課題】ストロークシミュレータを備える液圧ブレーキ装置のエアレーションの抑止機能を高めるために、冷却専用の機器を追加せずに制動力発生手段からリザーバに戻されるブレーキ液の冷却が効果的になされるようにしてブレーキ液の過熱、温度上昇を抑制することを課題としている。【解決手段】ストロークシミュレータ２０でブレーキ操作部材１にブレーキ操作の反力を加える液圧ブレーキ装置の前記ストロークシミュレータ２０の反力付与室２７を、調圧部１１の減圧弁１３からリザーバ４に至るドレン通路Ｄの途中に設け、制動力発生手段５から前記減圧弁１３を通って排出されるブレーキ液を、前記反力付与室２７を経由してリザーバ４に戻すようにして制動力発生手段５からリザーバ４に戻されるブレーキ液をストロークシミュレータ２０で冷却するようにした。【選択図】図１
2010047039.tif 000002
【特許請求の範囲】
【請求項１】
車両の運転手によって操作されるブレーキ操作部材（１）と、
ブレーキ操作によって発生した力を一端に受けて移動する可動部材（２２）及びその可動部材（２２）の他端が臨んだハウジング（２１）内の反力付与室（２７）に収容されて前記可動部材（２２）にブレーキ操作に応じた変位量と反力を付与する反力発生部材（２３）を備え、前記ブレーキ操作部材（１）に運転手のブレーキ操作力に応じた変位量と反力を発生させるストロークシミュレータ（２０）と、
リザーバ（４）から供給されるブレーキ液を加圧して液圧を発生させる液圧源（６）と、
その液圧源（６）が発生させた液圧を電子制御装置（１６）からの指令に基いて調圧して出力する調圧部（１１）と、
前記調圧部（１１）経由で供給されるブレーキ液圧で制動力を発生させて車輪に付与する制動力発生手段（５）を有する液圧ブレーキ装置において、
前記ストロークシミュレータの前記反力付与室（２７）を、前記調圧部（１１）の減圧弁（１３）から前記リザーバ（４）に至るドレン通路（Ｄ）の途中に設け、前記制動力発生手段（５）から前記調圧部（１１）の減圧弁（１３）を通って排出されるブレーキ液を、前記反力付与室（２７）を経由して前記リザーバ（４）に戻すようにしたことを特徴とする液圧ブレーキ装置。
【請求項２】
前記ドレン通路（Ｄ）の前記反力付与室（２７）への接続を、前記リザーバ（４）につなぐ前記反力付与室（２７）の出口（Ｐｏ）が前記減圧弁（１３）につなぐ前記反力付与室（２７）の入口（Ｐｉ）よりも上方にあり、かつ、前記出口（Ｐｏ）が前記反力付与室（２７）の最上部にあるように行ったことを特徴とする請求項１に記載の液圧ブレーキ装置。
【請求項３】
前記反力付与室（２７）の中心軸が鉛直方向を向き、この状態での平面視において、前記反力付与室（２７）の前記ドレン通路（Ｄ）につなぐ入口（Ｐｉ）と前記リザーバ（４）につなぐ出口（Ｐｏ）を前記反力付与室（２７）の中心軸を基準にして周方向の正反対位置に配置したことを特徴とする請求項１又は２に記載の液圧ブレーキ装置。
【請求項４】
前記ストロークシミュレータ（２０）を、前記可動部材（２２）が上、反力発生部材（２３）が下になる向きに設置したことを特徴とする請求項１〜３のいずれかに記載の液圧ブレーキ装置。
【請求項５】
前記反力付与室（２７）に対する前記ドレン通路（Ｄ）の接続を、前記減圧弁（１３）を通って前記制動力発生手段（５）から前記リザーバ（４）にブレーキ液が戻されるときに前記反力付与室（２７）の中に前記可動部材（２２）を初期位置に戻す方向の流れが発生するように行なったことを特徴とする請求項１〜４のいずれかに記載の液圧ブレーキ装置。
【請求項６】
ストロークシミュレータ（２０）の前記ハウジング（２１）をアルミ系の金属で形成したことを特徴とする請求項１〜５のいずれかに記載の液圧ブレーキ装置。
【請求項７】
前記反力発生部材（２３）を金属製のコイルばねで構成し、そのコイルばねの外周に、前記反力付与室（２７）内におけるブレーキ液の移動経路を延長する螺旋状の空間を生じさせたことを特徴とする請求項１〜６のいずれかに記載の液圧ブレーキ装置。
【請求項８】
前記反力付与室（２７）の内部に、その反力付与室（２７）に流入するブレーキ液を濾過するフィルタ（３０）を設置し、そのフィルタ（３０）に筒状ホルダ（３１）を含ませてその筒状ホルダ（３１）で前記コイルばねの外周を拘束してコイルばねを径方向に位置決めしたことを特徴とする請求項７に記載の液圧ブレーキ装置。
【請求項９】
前記ハウジング（２１）の内部に形成されるドレン通路に、前記減圧弁（１３）に対して背圧を付与する背圧付与部材（３２）を設けたことを特徴とする請求項１〜８のいずれかに記載の液圧ブレーキ装置。
【請求項１０】
前記背圧付与部材（３２）を、ハウジング（２１）内ドレン通路の通路断面積を減少させる絞り（３２ａ）で構成したことを特徴とする請求項９に記載の液圧ブレーキ装置。
【請求項１１】
前記背圧付与部材（３２）を、リリーフ弁（３２ｂ）で構成したことを特徴とする請求項９に記載の液圧ブレーキ装置。
【請求項１２】
前記背圧付与部材（３２）を、前記反力付与室（２７）の入口（Ｐｉ）側に配置したことを特徴とする請求項９〜１１のいずれかに記載の液圧ブレーキ装置。
【請求項１３】
前記液圧源（６）に動力ポンプ（７）が含まれ、その動力ポンプ（７）で発生させた液圧が前記電子制御装置（１６）からの指令に基いて調圧されて前記制動力発生手段（５）に供給されるように構成されたことを特徴とする請求項１〜１２のいずれかに記載の液圧ブレーキ装置。
【発明の詳細な説明】
【技術分野】
【０００１】
この発明は、車両の運転手によるブレーキ操作部材の操作に対して、ストロークシミュレータを用いて反力を加える方式の液圧ブレーキ装置に関する。
【背景技術】
【０００２】
ブレーキバイワイヤ方式のブレーキ装置は、車両の運転手によるブレーキ操作量を電気信号に変換し、その信号を利用した電気的な制御を行なうことで制動力発生手段を作動させて車輪に必要な制動力を加えるものであって、ブレーキ操作部材に対してブレーキ操作量に応じた反力を付与するストロークシミュレータを備えている。
【０００３】
このブレーキバイワイヤ方式のブレーキ装置に採用される制動力発生手段は、電気アクチュエータを用いるものもあるが、運転手のブレーキ操作力で液圧を発生させるマスタシリンダと動力ポンプを有する液圧源を組み合わせたものが多く利用されている。
【０００４】
液圧を利用して制動力を発生させる後者のブレーキ装置（液圧ブレーキ装置）は、例えば、下記特許文献１〜３に開示されている。このブレーキ装置においては、正常時の制動ではマスタシリンダが制動力発生手段から切り離され、制動力発生手段には、動力ポンプで発生させて調圧部で必要な値に調圧した液圧が供給される。マスタシリンダで発生させた液圧は、動力ポンプの液圧を使うことができない装置異常時に制動力発生手段に供給される。
この方式のブレーキ装置に採用されるストロークシミュレータは、ハウジングの内部に、マスタシリンダの圧力室に発生させた液圧を一端に受けて移動するピストン（可動部材）を組み込み、そのピストンの他端が臨む反力付与室（ばね室）に、前記ピストンに対してブレーキ操作に応じた反力（変位量）を付与するコイルばね（スプリング）を収容している。
【０００５】
特許文献１は、ストロークシミュレータの反力発生部材として、ばね定数の異なる第１、第２コイルばねを設け、前記ピストンと前記反力付与室（ばね室）に内蔵するスプリングリテーナとの間に第１コイルばねを、前記スプリングリテーナとハウジング端の閉鎖部材との間に第２コイルばねをそれぞれ配置することでブレーキペダルの操作に対してペダルを踏み込むほどペダル剛性が高まる滑らかな非線形の反力特性を実現している。
【０００６】
なお、特許文献１に記載されたストロークシミュレータは、コイルばねを収容する反力付与室をマスタシリンダのリザーバに連通させており、その反力付与室にはリザーバからのブレーキ液が導入されている。
【０００７】
特許文献２が開示しているストロークシミュレータも、ばね定数の異なる第１、第２コイルばねを組み合わせて用いている。前記スプリングテーナに代えて第２ピストンを設けた点や反力付与室を大気室にした点などが特許文献１のストロークシミュレータと異なるが、特許文献１のストロークシミュレータと同様の非線形の反力特性が得られるものになっている。
【０００８】
特許文献３のブレーキ装置用のストロークシミュレータは、マスタシリンダに一体化しており、ペダルを踏み込むほどペダル剛性が高まる非線形の反力特性を１個のコイルばねと１個の弾性部材を組み合わせることで実現している。このストロークシミュレータも、特許文献１と同様にコイルばねを収容した反力付与室をリザーバに連通させてそのばね室にブレーキ液を導入している。
【０００９】
【特許文献１】特開２００２−２９３２２９号公報
【特許文献２】特開２００４−２７６６６６号公報
【特許文献３】特表２００３−５２８７６８号公報
【発明の開示】
【発明が解決しようとする課題】
【００１０】
ブレーキバイワイヤ方式の液圧ブレーキ装置では、各種センサから運転手のブレーキ操作情報を受けた電子制御装置が車両としての制動要求を判断し、必要時にその電子制御装置からの指令に基いて調圧部が制動力発生手段に供給されたブレーキ液圧の加減圧制御を行なう。その際の減圧制御は、調圧部に含まれる減圧弁（減圧用電磁弁）を開弁させ、その減圧弁からリザーバに至るドレン通路を開放することによってなされるが、制動力発生手段から排出されるブレーキ液は制動で生じた熱を吸収しており、また、急激な流れに際しては流体摩擦等による熱も加わるため、ブレーキ液を循環させながら増減圧制御が繰り返されると次第に温度が上昇する。
【００１１】
これに対し、上記特許文献１のブレーキ装置は、ブレーキを緩める減圧制御が実行されて制動力発生手段から排出されるブレーキ液が、専用のドレン通路を通ってリザーバに戻される構造になっており、ブレーキ液の温度上昇を積極的に抑制する機能がない。
【００１２】
そのために、ブレーキ液の温度が上昇してエアレーションが起こり、そのエアレーションによる調圧用電磁弁の弁振動や異音（流動音）の発生、機器内でのエア残留などが懸念される。
【００１３】
特許文献２、３が開示しているブレーキ装置も同様である。なお、機器内にエアが残留してその残留エアが動力ポンプなどの圧力発生室に流入すると得られる圧力が小さくなるので、圧力発生室への残留エアの流入の懸念は可能な限り小さくすることが望まれる。
【００１４】
この発明は、液圧ブレーキ装置におけるエアレーションの抑止機能を高めるために、冷却専用の機器を追加せずに制動力発生手段からリザーバに戻されるブレーキ液の冷却が効果的になされるようにしてブレーキ液の過熱、温度上昇を抑制することを課題としている。
【課題を解決するための手段】
【００１５】
上記の課題を解決するため、この発明においては、ストロークシミュレータをブレーキ液の冷却器として機能させる。
具体的には、車両の運転手によって操作されるブレーキ操作部材と、
ブレーキ操作によって発生した力を一端に受けて移動する可動部材及びその可動部材の他端が臨んだハウジング内の反力付与室に収容されて前記可動部材にブレーキ操作に応じた変位量と反力を付与する反力発生部材を備え、前記ブレーキ操作部材に運転手のブレーキ操作力に応じた変位量と反力を発生させるストロークシミュレータと、
リザーバから供給されるブレーキ液を加圧して液圧を発生させる液圧源と、
その液圧源が発生させた液圧を電子制御装置からの指令に基いて調圧して出力する調圧部と、
前記調圧部経由で供給されるブレーキ液圧で制動力を発生させて車輪に付与する制動力発生手段を有する液圧ブレーキ装置において、
前記ストロークシミュレータの前記反力付与室を、前記調圧部の減圧弁から前記リザーバに至るドレン通路の途中に設け、前記制動力発生手段から前記調圧部の減圧弁を通って排出されるブレーキ液を、前記反力付与室を経由してリザーバに戻すようにした。
【００１６】
この液圧ブレーキ装置の好ましい形態を以下に挙げる。
（１）前記ドレン通路の前記反力付与室への接続を、前記リザーバにつなぐ前記反力付与室の出口が前記減圧弁につなぐ前記反力付与室の入口よりも上方にあり、かつ、前記出口が前記反力付与室の最上部にあるように行う。
（２）前記反力付与室の中心軸が鉛直方向を向き、この状態での平面視において、前記反力付与室の入口と出口を前記反力付与室の中心軸を基準にして周方向の正反対位置に配置する。
（３）ストロークシミュレータを、前記可動部材が上、反力発生部材が下になる向きに設置する。
（４）前記反力付与室に対する前記ドレン通路の接続を、前記減圧弁を通って前記制動力発生手段から前記リザーバにブレーキ液が戻されるときに前記反力付与室の中に前記可動部材を初期位置に戻す方向の流れが発生するように行なう。
（５）ストロークシミュレータのハウジングをアルミ系の金属で形成する。
（６）前記反力発生部材を金属製のコイルばねで構成し、そのコイルばねの外周に、前記反力付与室内におけるブレーキ液の移動経路を延長する螺旋状の空間を生じさせる。
（７）前記（６）の構成において、反力付与室の内部に、その反力付与室に流入するブレーキ液を濾過するフィルタを設置し、そのフィルタに含ませた筒状のホルダで前記コイルばねの外周を拘束してコイルばねを径方向に位置決めする。
（８）前記ハウジングの内部に形成されるドレン通路に、前記減圧弁に対して背圧を付与する背圧付与部材を設ける。
（９）前記背圧付与部材を、前記ハウジングの内部に形成されるドレン通路の通路断面積を減少させる絞り又は設置圧で開弁するリリーフ弁で構成する。
（１０）前記背圧付与部材を、前記反力付与室の入口側に配置する。
【発明の効果】
【００１７】
この発明のブレーキ装置は、調圧部による減圧制御が実施されたときに制動力発生手段から排出されるブレーキ液が、ストロークシミュレータの反力発生部材を収容した反力付与室を通ってリザーバに戻される。そのために、ストロークシミュレータが熱をもったブレーキ液の冷却器として機能し、このストロークシミュレータのハウジングやハウジング内の液体や部材に熱が吸収されてブレーキ液の温度が下がる。
【００１８】
反力発生部材を収容する前記反力付与室は、反力発生部材として通常、コイルばねが使用されるので、その容積がある程度大きくなる。その反力付与室に充填された容量の大きいブレーキ液の中を通過させることで充填ブレーキ液や熱容量の大きいハウジングによる熱吸収が効果的になされ、加減圧制御で循環するブレーキ液の温度上昇が抑制される。
【００１９】
そのために、エアレーションが抑えられ、エアレーションに起因した弁振動、異音、機器内でのエア残留が防止される。なお、上記において好ましいとした形態の作用効果は次項で説明する。
【発明を実施するための最良の形態】
【００２０】
以下、添付図面の図１〜図５に基いてこの発明の実施の形態を説明する。この発明の液圧ブレーキ装置の一例を図１に示す。この液圧ブレーキ装置は、車両の運転手によって操作されるブレーキ操作部材１、ストロークセンサ２、タンデム型のマスタシリンダ３、リザーバ４、制動力発生手段５、液圧源６、カット弁（遮断弁）１０、調圧部１１、カット弁（開閉弁）１４、圧力センサ１５、電子制御装置（ＥＣＵ）１６及びストロークシミュレータ２０を組み合わせて構成されている。
【００２１】
図示のブレーキ操作部材１はブレーキペダルである。ストロークセンサ２はそのブレーキ操作部材１の操作量を検出する。
【００２２】
マスタシリンダ３は、ブレーキ操作部材１に加えられた操作力を受けて作動し、車両の運転手がブレーキ操作部材１に加えた操作力に見合う液圧を発生させる。
【００２３】
リザーバ４はマスタシリンダ３に付属させており、マスタシリンダ３に対するブレーキ液の補給と液圧源６に対するブレーキ液の供給がここからなされる。また、ブレーキ液圧の制御が減圧モードに切り換わったときに制動力発生手段５から排出されるブレーキ液はこのリザーバ４に戻される。
【００２４】
制動力発生手段５は、ホイールシリンダであり、車両の２個の前輪と２個の後輪に個別に制動力を加える。マスタシリンダ３の出力ポートは、２系統に分けた液圧通路Ａ，Ａを介してこの制動力発生手段５につながれる。液圧通路Ａ，Ａは、図示の装置では、一方が車両の右前輪に、他方が左前輪にそれぞれ接続される。
【００２５】
液圧源６は、モータで駆動してリザーバ４からブレーキ液を汲み上げる動力ポンプ７と、アキュムレータ８と、リリーフ弁９からなる。この液圧源６は、液圧通路Ｂを介して各制動力発生手段５につながれており、ブレーキ装置が正常に作動するときの制動は、ここから供給される液圧を利用して行われる。
【００２６】
カット弁１０は、常開型の電磁駆動の弁であって、マスタシリンダ３と制動力発生手段５との間において２系統の液圧通路Ａ，Ａを開閉する。
【００２７】
調圧部１１は、液圧源６と各制動力発生手段５との間において液圧通路Ｂの４つの分岐部にそれぞれ組み込む常閉型の増圧弁１２と、各制動力発生手段５とリザーバ４との間に設けられたドレン通路Ｄに組み込む減圧弁１３とで構成されている。増圧弁１２は、電磁駆動の常閉型の弁である。また、減圧弁１３は、液圧通路Ａ側の２つが電磁駆動の常閉型の弁、他の２つが電磁駆動の常開型の弁である。図示の弁は、リニア弁と称される弁であり、液圧を駆動電流の大きさによって調圧する機能を備えている。
【００２８】
カット弁１４は常閉型の電磁駆動の弁である。カット弁１０よりも上流（マスタシリンダ３側）で液圧通路Ａから枝分かれした液圧通路Ｃにストロークシミュレータ２０を挿入しており、そのストロークシミュレータ２０とマスタシリンダ３との間において液圧通路Ｃにカット弁１４が配置されている。
【００２９】
圧力センサ１５は、マスタシリンダ３の各圧力室からの出力液圧を検出する位置と、液圧源６の出力液圧を検出する位置と、各制動力発生手段５に供給されたブレーキ液圧を検出する位置にそれぞれ設置されている。
【００３０】
電子制御装置１６は、運転手のブレーキ操作を検出する各種センサ、例えば、ストロークセンサ２や、圧力センサ１５などからの情報に基いて車両としての制動要求を判断し、必要時に調圧部１１の機器に指令を出して制動力発生手段５に供給されたブレーキ液圧の加減圧制御を行なう。その制御が減圧モードのときに、減圧弁１３が開弁して制動力発生手段５から排出されるブレーキ液が減圧弁１３経由でリザーバ４に戻される。
【００３１】
ストロークシミュレータ２０は、ハウジング２１の内部に、可動部材（図のそれはピストン）２２と、反力発生部材２３と、リテーナ（スプリングリテーナ）２４と、２個の弾性体の緩衝部材２５−１，２５−２を設けたものを採用している。
【００３２】
ハウジング２１は、アルミ系の材料（純金属、合金のどちらも可）で形成されている。このハウジング２１には、シリンダ２６と、ハウジング２１の周壁によって外部から画された、シリンダ径よりも大径の穴で構成された反力付与室２７が設けられており、シリンダ２６に可動部材（図のそれはピストン）２２がスライド可能に挿入されている。また、反力付与室２７に反力発生部材２３と、リテーナ２４と、緩衝部材２５が収納されている。
【００３３】
反力発生部材２３は、第１、第２の２個の金属製のコイルばね２３-１，２３-２によって構成されている。リテーナ２４も２個あり、可動部材２２の外周に装着された第１リテーナ２４−１と、カップ状に形成された第２リテーナ２４−２との間に第１コイルばね２３-１が配置され、第２リテーナ２４−２とハウジング２１の端壁との間に第２コイルばね２３-２が配置されている。また、緩衝部材２５−１は、第１コイルばね２３-１が設定量圧縮されると第２リテーナ２４−２に押し当てられ、緩衝部材２５−２は、第２コイルばね２３-２が設定量圧縮されると第２リテーナ２４−２の端壁に押し当てられるようになっている。
【００３４】
ハウジング２１にはさらに、可動部材２２の一端が臨む液室２８が設けられており、その液室２８にマスタシリンダ３で発生させた液圧が導入され、その液圧で可動部材２２が液圧の大きさに応じた位置に移動し、このときに、第１、第２のコイルばね２３-１，２３-２が圧縮されて液圧に応じた反力（すなわち、運転手のブレーキ操作力に応じた反力）が発生し、その反力が、ブレーキ操作部材１を通じて運転手に伝わるようになっている。図１の２９は、必要に応じて設けるエアブリーダであり、液室２８のエア抜きに利用される。
【００３５】
図示の液圧ブレーキ装置は、その装置が正常な状態で運転手によるブレーキ操作がなされると、カット弁１０が閉、増圧弁１２とカット弁１４がそれぞれ開となって各制動力発生手段５に液圧源６からブレーキ液圧が供給される。電子制御装置１６による制御が実行されない装置異常時の制動で運転者がブレーキ操作力を開放、或いは、緩めると、カット弁１０が開いているので、マスタシリンダ３から液圧通路Ａを通って各制動力発生手段５に供給されたブレーキ液は液圧通路Ａを通り、さらにマスタシリンダ３を通ってリザーバ４に戻る。
【００３６】
一方、電子制御装置１６による減圧モードの制御が行なわれたときには、減圧弁１３が開き、各制動力発生手段５に供給されたブレーキ液がドレン通路Ｄを通ってリザーバ４に戻る。このときのブレーキ液がストロークシミュレータ２０を通ってその位置で冷却される。
【００３７】
図１のストロークシミュレータ２０は、前掲の特許文献１に開示されたものと同様の反力特性が得られる。このストロークシミュレータ２０をドレン通路Ｄの途中に設け、ドレン通路Ｄの一部をハウジング２１に形成された反力付与室２７で構成しており、この構成が従来品と異なる。
【００３８】
ハウジング２１に反力付与室２７に通じるブレーキ液の入口Ｐｉと出口Ｐｏを設けてその入口Ｐｉと出口Ｐｏにドレン通路Ｄをつないでおり、減圧弁１３経由で制動力発生手段５から排出されたブレーキ液は、反力付与室２７を通ってリザーバ４に戻る。
【００３９】
反力付与室２７は十分な容積が確保されており、その反力付与室２７に充填された容量の大きいブレーキ液の中に制動力発生手段５から排出されたブレーキ液が混ざり込むことによって反力付与室２７に流入したブレーキ液の温度が下がる。反力付与室２７内のブレーキ液や金属製の反力発生部材２３に吸収された熱は、ハウジング２１に流れてそのハウジング２１の表面から外部に放散される。
【００４０】
なお、ストロークシミュレータ２０は、図１に示すように、ドレン通路Ｄの反力付与室２７への接続を、リザーバ４につなぐ反力付与室２７の出口Ｐｏが減圧弁１３につなぐ反力付与室２７の入口Ｐｉよりも上方にあり、しかも、出口Ｐｏが反力付与室２７の最上部にあるように行うと好ましい。
そのような構造にすると、反力付与室２７内でのブレーキ液の移動経路が長くなって冷却効率が高まる。また、反力付与室２７にブレーキ液を充填する際の空気抜きを、反力付与室２７用のエアブリーダを設けずに行なえる。
【００４１】
反力付与室２７の中心が図１のように鉛直方向を向き、この状態での平面視において、図２に示すように、反力付与室２７の入口Ｐｉと出口Ｐｏを反力付与室２７の中心軸を基準にして周方向の正反対位置に配置するのも好ましい。この場合も、反力付与室２７内でのブレーキ液の移動経路が長くなるため、冷却効率が高まる。
【００４２】
図１に示すように、ストロークシミュレータ２０を、可動部材２２が上、反力発生部材２３が下になる向きに設置するのも好ましい。反力付与室２７には摩耗粉などの異物がブレーキ液に混入して流入する可能性があるが、可動部材２２を反力発生部材２３よりも上側に配置することで、可動部材２２とシリンダ２６との間の摺動隙間に異物が噛み込まれる懸念をなくすことができる。
【００４３】
反力付与室２７に対するドレン通路Ｄの接続を、減圧弁１３を通って制動力発生手段５からリザーバ４にブレーキ液が戻されるときに反力付与室２７の中に可動部材２２を初期位置に戻す方向の流れが発生するように行なうのも好ましい。図１の構造は、そのような流れとなる。このようにしたものは、可動部材２２の戻りが液流によって阻害されることがない。
【００４４】
反力発生部材２３として設けた金属製の２個のコイルばねのうち、直径の大きい第２コイルばね２３−２の外周に形成される螺旋状の空間によって、反力付与室２７内におけるブレーキ液の移動経路が延長されるようにしておくのも好ましい。ばねの線径と線間隙間の大きさ、反力付与室２７への入口Ｐｉからのブレーキ液の導入方向などを適切に設定すると、第２コイルばね２３−２の外周の螺旋状空間に沿ったブレーキ液の流れが生じて反力付与室２７内におけるブレーキ液の移動経路が延長され、それにより、熱を持ったブレーキ液がコイルばねやハウジングに接触する時間が長くなって冷却効率が高まる。
【００４５】
図３に示すように、反力付与室２７の内部に、反力付与室２７に流入するブレーキ液を濾過するフィルタ３０を設置し、そのフィルタ３０に筒状ホルダ３１を含ませてその筒状ホルダ３１で第２コイルばね２３−２の外周を拘束する構造も考えられ、この構造では、第２コイルばね２３−２の径方向位置決めをフィルタ３０を利用して行える。
【００４６】
このほか、図４、図５に示すように、ハウジング２１に形成されるドレン通路の内部、好ましくは入口Ｐｉ内に、減圧弁１３に対して背圧を付与する背圧付与部材３２を設けるのも好ましい。
【００４７】
図４のストロークシミュレータ２０に設けた背圧付与部材３２は、ハウジング２１内ドレン通路の通路断面積を減少させる絞り３２ａを設けてその絞り３２ａで構成しているが、図５に示すように、ハウジング２１内ドレン通路にリリーフ弁３２ｂを設置し、そのリリーフ弁３２ｂを背圧付与部材にして減圧弁１３に背圧を付与することもできる。
【００４８】
ブレーキ液の温度が上昇することだけでなく、排出されるブレーキ液のドレン通路入口側と出口側での圧力差が大きいこともエアレーション発生の原因となる。従って、減圧弁１３に背圧を付与して排出されるブレーキ液の急激な圧力変動や負圧の発生を防止することはエアレーションの抑制効果を高める。
なお、背圧付与部材３２は、図４、図５のように、反力付与室２７の入口Ｐｉ側においてハウジング２１内ドレン通路に設けるのがよい。このような配置にすることで、反力付与室２７の背圧によるストロークシミュレータ特性への影響を抑えることができる。
【００４９】
なお、ブレーキバイワイヤ方式の液圧ブレーキ装置は、液圧源に動力ポンプが含まれ、その動力ポンプで発生させた液圧が電子制御装置からの指令に基いて調圧されて（この調圧は、通常制動では運転者のブレーキ操作量に応じたブレーキ液圧となるように行われる）制動力発生手段に供給されるものが主流をなしており、そのような構造の液圧ブレーキ装置にこの発明を適用すると発明の有効性が顕著に発揮される。
【図面の簡単な説明】
【００５０】
【図１】この発明の液圧ブレーキ装置の一形態を示す全体構成図
【図２】ストロークシミュレータの図１のII−II線に沿った断面図
【図３】ストロークシミュレータの他の実施の形態を示す断面図
【図４】ストロークシミュレータに設けた背圧付与部材の一形態を示す断面図
【図５】ストロークシミュレータに設けた背圧付与部材の他の形態を示す断面図
【符号の説明】
【００５１】
１          ブレーキ操作部材
２          ストロークセンサ
３          マスタシリンダ
４          リザーバ
５          制動力発生手段
６          液圧源
７          動力ポンプ
８          アキュムレータ
９          リリーフ弁
１０、１４  カット弁
１１        調圧部
１２        増圧弁
１３        減圧弁
１５        圧力センサ
１６        電子制御装置
２０        ストロークシミュレータ
２１        ハウジング
２２        可動部材
２３        反力発生部材
２３−１      第１コイルばね
２３−２      第２コイルばね
２４        リテーナ
２４−１      第１リテーナ
２４−２      第２リテーナ
２５−１，２５−２  緩衝部材
２６        シリンダ
２７        反力付与室
Ｐｉ        入口
Ｐｏ        出口
２８        液室
２９        エアブリーダ
３０        フィルタ
３１        筒状ホルダ
３２        背圧付与部材
３２ａ      絞り
３２ｂ      リリーフ弁
Ａ〜Ｃ      液圧通路
Ｄ          ドレン通路
【図１】
2010047039.tif 000003
【図２】
2010047039.tif 000004
【図３】
2010047039.tif 000005
【図４】
2010047039.tif 000006
【図５】
2010047039.tif 000007